(57)【要約】【課題】電子機器に取り出し可能に搭載されたハードディスクを別の電子機器に装着した際に、当該ハードディスクにセキュリティロックがかけられているため、蓄積されたデータにアクセスできないという問題や、ハードディスク上の音楽データ等の更新や再生ができないという問題を解決する。【解決手段】電子機器に取り外し可能に搭載されるハードディスクユニット１７であって、ハードディスクユニット１７には、当該ハードディスクユニット１７に含まれるハードディスク１３に対するアクセスを制限するセキュリティロック手段を一体に構成する。【選択図】図３
2005317143.tif 000002
【特許請求の範囲】
【請求項１】
電子機器に取り外し可能に搭載されるハードディスクユニットであって、
前記ハードディスクユニットには、
当該ハードディスクユニットに含まれるハードディスクに対するアクセスを制限するセキュリティロック手段を一体に構成したことを特徴とするハードディスクユニット。
【請求項２】
前記セキュリティロック手段は、前記ハードディスクユニットに固有のＩＤを記憶する記憶手段と、前記ＩＤを基にしてパスワードを生成する演算手段とを含むことを特徴とする請求項１に記載のハードディスクユニット。
【請求項３】
前記電子機器は、ナビゲーション機器であり、前記ハードディスクは地図データを含むナビゲーション用データ領域と、ユーザによって使用されるユーザ領域とを含むことを特徴とする請求項１又は２に記載のハードディスクユニット。
【請求項４】
前記演算手段は、ナビゲーション機器用のＣＰＵであることを特徴とする請求項３に記載のハードディスクユニット。
【請求項５】
請求項１〜４のいずれか１項に記載のハードディスクユニットを装着可能に構成されたハードディスクユニットアクセス用端末装置であって、
通信手段と、
前記地図データを含むナビゲーション用データを更新するバージョンアップ手段と、
を含むことを特徴とするハードディスクユニットアクセス用端末装置。
【発明の詳細な説明】
【技術分野】
【０００１】
本発明は、電子機器に搭載されたハードディスクを、ハードディスクに対するアクセスのセキュリティをロックした状態で取り外し、他の電子機器に装着して当該ハードディスクユニットに対するアクセスが実行可能なハードディスクユニットおよびハードディスクユニットアクセス用端末装置に関する。
【背景技術】
【０００２】
従来から、電子機器に搭載された不揮発性記憶手段の記憶内容のバージョンアップを所定期間ごとに実行することが望ましいものとして、地図データ等を不揮発性記憶手段に格納して用いるナビゲーション機器が知られている。                 
【０００３】
従来のナビゲーション機器では、地図データ等のナビゲーション用データを読み出す記憶手段として、ＤＶＤ（デジタルバーサタイルディスク）やＣＤ（コンパクトディスク）などの光ディスクが広く利用されていた。
光ディスクを搭載したナビゲーション機器では、ナビゲーション動作を行う際に現在位置を検出し、光ディスクから読み出した地図データにもとづいて生成した地図画像により、案内表示を行う。
【０００４】
光ディスクに記録されている地図データ等のナビゲーション用データは、道路事情の変化等に対応すべく、ある程度の期間にわたって用いた後には、適宜内容を更新することが望ましい。
そのため、バージョンアップされたナビゲーション用データが記録された光ディスクを顧客に提供し、これを顧客がナビゲーション機器に装着することにより、道路事情の変化等を適切に反映した状態で、ナビゲーションを実現していた。
【０００５】
最近では大容量の不揮発性記憶手段としてハードディスクをナビゲーション機器に搭載し、ナビゲーション用データの記憶手段として活用するものが知られている。（例えば、特許文献１参照）                 
【０００６】
不揮発性記憶手段としてハードディスクを用いれば、ナビゲーション用データの記憶容量を大幅に増大させることができるとともに、顧客が収集した音楽データ等をハードディスクの空き領域に記憶することも可能であり、ナビゲーション機器の利便性が向上する。
【０００７】
しかし、ナビゲーション機器においてハードディスクを用いる場合、ナビゲーション用データのバージョンアップを行う過程は複雑になる。
すなわち、光ディスクのように記録媒体自体を交換するのではなく、ハードディスクを提供する事業者が、顧客からハードディスクを回収した上で、その内容を書き換えることによりバージョンアップを行うことが必要になる。
【０００８】
次に、従来のハードディスクを搭載したナビゲーション機器のハードディスクに蓄積されたデータのバージョンアップ方法を、図１を用いて説明する。
図１は、実際にバージョンアップを利用する顧客と、バージョンアップ業務を実行する事業者と、その他関連する事業者との関係を説明するブロック図である。
【０００９】
図１において、顧客１は事業者２によって製造販売されたナビゲーション機器１０を所有している。
このナビゲーション機器１０は、例えば顧客１の自動車に搭載され、自車位置を検出して案内表示を行うことによりナビゲーションを行う装置である。
ナビゲーション機器１０によるナビゲーションを行う場合に必要な地図データ等のナビゲーション用データを、不揮発性記憶手段としてのハードディスク１１に記録している。
【００１０】
ハードディスク１１は、ナビゲーション機器１０にコネクタを介して着脱自在に取り付けられ、数１０Ｇバイト程度の記憶容量を有している。
このうち、例えば８０％程度がナビゲーション用データを記憶する領域に割り当てられ、残りの領域にはユーザデータを書き込むことができる。
ナビゲーション用データには、地図データやナビゲーション機能に関連する各種データが含まれ、ユーザデータとしては、ユーザ自らが収集した音楽データ等をハードディスク１１に蓄積保持することができる。
【００１１】
顧客１がナビゲーション機器１０を購入した時点で、既にハードディスク１１にはナビゲーション用データが記録された状態にある。
しかし、所定の期間にわたってナビゲーション機器１０を使用すると、ナビゲーション用データが古くなるため、最新の道路事情等に対応するためのバージョンアップを行う必要が生じる。
この場合、例えば光ディスク等の記録媒体であれば、バージョンアップされたディスクを入手して交換すればよいだけであるが、ハードディスク１１の場合は、ナビゲーション用データをバージョンアップするための作業が複雑になる。
【００１２】
バージョンアップに関する一連の業務（システム）の一例を、以下に説明する。
事業者２は、ナビゲーション機器１０の製造販売に関する事業を行うとともに、ハードディスク１１のバージョンアップ業務を行う。
事業者２は、バージョンアップ業務を管理すべくナビゲーション機器１０を購入した顧客に関する顧客情報を、顧客データベース３に蓄積保持している。
この顧客データベース３に保持される顧客情報としては、例えば、顧客の氏名、住所、購入年月日、ナビゲーション機器１０の機種、バージョン情報などが含まれ、一連のバージョンアップ業務に際し必要に応じて参照することができる。
【００１３】
また、事業者２におけるバージョンアップ業務に関わる部門としては、図１に示すように、受け付けセンタ−２ａ、問い合せセンター２ｂ、サービスセンター２ｃ、集荷センター２ｄ、書き換えセンター２ｅ等のシステムが必要であった。
【００１４】
次に、従来のハードディスク１１を搭載したナビゲーション機器１０では、ハードディスク１１に蓄積されたデータのバージョンアップに関して、事業者の関与を必要とする複雑なシステムを構築せざるを得なかった理由を説明する。
【００１５】
ナビゲーション機器１０に用いられるハードディスク１１は、パーソナルコンピュータ用等として広く普及しているため、ナビゲーション装置用に特化された情報が記録されているハードディスクであっても、当該パーソナルコンピュータ等を用いることで、その内容を容易に他のハードディスクに複写することが可能である。
この結果として、その複写により作成されたハードディスク１１を他のナビゲーション装置における記録媒体として流用するような、不法な利用が比較的簡単に実行されてしまう可能性があるという問題がある。
【００１６】
この問題を解決するために、ナビゲーション機器１０に用いられるハードディスク１１には、このハードディスク１１に対するアクセス（読み出し・書き込み）に対するセキュリティが掛けられているのが現状である。
【００１７】
ナビゲーション機器に用いられるハードディスクに対するセキュリティ手段として、以下のものが知られている（例えば、特許文献２参照）。
【００１８】
従来のナビゲーション機器におけるハードディスクのセキュリティロックのための構成を図２に示す。
ナビゲーション機器１２は、図２（ａ）に示すように、ハードディスク１３、ＣＰＵ１４、ＲＯＭ１５および音声回路・映像回路１６等の回路を備えている。
【００１９】
ハードディスク１３は、図２（ｂ）に示すように、ナビゲーション機器１２から取り外すことが可能であるが、ＣＰＵ１４に設けられたハードディスク記録再生部のハードディスク１３に対する地図情報等の読み出しあるいは付加情報の記録等のアクセスは、ハードディスク１３内に予め設定されてパスワード記憶部に格納されているパスワードを用いなければ不可能とされている。
【００２０】
ここで、パスワードとは、ハードディスク１３に対して情報のアクセス（読み書き）を行うときに用いられるパスワードであって、ナビゲーション機器１２ごとに異なるユニークなＩＤが割り当てられていて、ＲＯＭ１５に格納されている。
【００２１】
ＣＰＵ１４は、そのＩＤを特殊な変換処理をしてパスワードを生成し、ハードディスク１３にパスワードを格納しておく。
そして、当該ハードディスク１３およびハードディスク記録再生部においては、当該パスワードを用いなければハードディスク１３に対する情報の読み書きができないような保護処理がなされている。
【００２２】
よって、ハードディスク１３内に記録されている情報は、当該情報のアクセスが可能となるパスワードが格納されているナビゲーション装置（ユニークなＩＤが一致する）でのみ活用することができることとなる。
【特許文献１】特開２００２−３３３３２４号公報
【特許文献２】特開２００２−１９６９８６号公報
【発明の開示】
【発明が解決しようとする課題】
【００２３】
しかしながら、ハードディスク１３を搭載した従来のナビゲーション機器１２は、このナビゲーション機器１２からハードディスク１３を取り外したとしても、別のナビゲーション機器およびＰＣ（パーソナルコンピュータ）で当該ハードディスク１３に対するアクセスをすることはできない構成であったので、ナビゲーション用データをバージョンアップするためには、事業者に委託する必要があった。
また、車両に搭載されたナビゲーション機器１２からハードディスク１３を取り出し、自宅のＰＣを用いて音楽データや地図データを更新したり、再生したりすることができなかった。
【００２４】
本発明が解決しようとする課題としては、前述した従来技術において生じている、ナビゲーション機器などの電子機器からハードディスクを取り出して別の電子機器に装着して、ハードディスクに蓄積されたデータにアクセスしたり、ＰＣを用いて音楽データ等の更新や再生をしたりすることができないという問題の解決が一例として挙げられる。
【課題を解決するための手段】
【００２５】
請求項１に記載のハードディスクユニットは、電子機器に取り外し可能に搭載されるハードディスクユニットであって、前記ハードディスクユニットには、当該ハードディスクユニットに含まれるハードディスクに対するアクセスを制限するセキュリティロック手段を一体に構成したことを特徴とする。
【００２６】
また、請求項５に記載のハードディスクユニットアクセス用端末装置は、請求項１〜４のいずれか１項に記載のハードディスクユニットを装着可能に構成されたハードディスクユニットアクセス用端末装置であって、通信手段と、前記地図データを含むナビゲーション用データを更新するバージョンアップ手段とを含むことを特徴とする。
【発明を実施するための最良の形態】
【００２７】
以下、本発明の実施の形態について図面を参照して説明する。
図３は、本実施の形態におけるハードディスクユニットの構成を示すブロック図である。このハードディスクユニット１７は、ナビゲーション機器１２Ａにおけるハードディスク１３のセキュリティロックのための構成を持つ。
ナビゲーション機器１２Ａは、図３（ａ）に示すように、ハードディスク１３、ＣＰＵ（中央演算処理装置）１４、ＲＯＭ（リードオンリーメモリ）１５および音声回路・映像回路１６等の回路を備えている点で、図２の従来の構成と同様である。
【００２８】
本実施の形態では、ナビゲーション機器１２Ａから取り出されるハードディスクユニット１７に、ＣＰＵ１４およびＲＯＭ１５が含まれている点で、従来の構成とは相違している。
図３（ｂ）に示すように、本実施形態におけるハードディスクユニット１７は、このハードディスクユニット１７ごとに異なるユニークなＩＤが格納されている記憶手段としてのＲＯＭ１５および、そのＩＤを特殊な変換処理をしてパスワードを生成する演算手段としてのＣＰＵ１４を、ユニットとして備えている。これらのＣＰＵ１４およびＲＯＭ１５は、ハードディスク１３に対するセキュリティロック手段を構成している。
【００２９】
本実施の形態では、ナビゲーション機器１２Ａから取り出されるハードディスクユニット１７にＣＰＵ１４およびＲＯＭ１５が含まれているので、ナビゲーション機器１２Ａからハードディスクユニット１７を取り出して、別の車両のナビゲーション機器に装着することが可能である。
【００３０】
次に、前記ナビゲーション機器１２Ａの全体構成を、図４を参照して説明する。
このナビゲーション機器１２Ａには、ハードディスクユニット１７のほかに、アンテナ１８に接続されたＧＰＳ（グローバルポジショニングシステム）受信部１９と、速度センサ２０と、加速度センサ２１と、方位角センサ２２と、表示部２３と、操作部２４とが設けられている。なお、前記ＣＰＵ１４は、パスワードの抽出、判別、変更や、ナビゲーションに関する各種データの処理を実行する。
【００３１】
ＧＰＳ受信部１９は、ＧＰＳに属する複数の人工衛星からの航法電波を、アンテナ１８を介し受信して現在位置を計算し、ＧＰＳデータとして出力するものである。
【００３２】
速度センサ２０は、車両の走行速度を感知し、感知した速度をパルスや電圧の形態で速度データとして出力するものである。
【００３３】
加速度センサ２１は、車両の重力加速度と車両の移動により発生する加速度とを比較することにより、車両の上下方向の移動状態を検知し、道路の傾きや高低差に応じた車両の現在擬似位置を算出可能にするものである。
【００３４】
方位角センサ２２は、ジャイロセンサにより構成され、車両の方位角、すなわち車両の進行方向を感知し、その感知した方位角をパルスや電圧の形態で方位角データとして出力するものである。
【００３５】
表示部２３は、ハードディスク１３から出力される地図情報およびＧＰＳ受信した走行案内位置情報などの各種情報を表示するものである。
【００３６】
操作部２４は、ナビゲーション機器１２Ａをナビゲーション機能させたり、テレビ受像機、ラジオ受信機、音楽ディスクドライブ装置などとして機能させたりするときに操作されるもので、多数のスイッチボタン、数字キーなどからなる。
【００３７】
このナビゲーション機器１２Ａでは、速度センサ２０および方位角センサ２２から出力される車両の速度データおよび方位角データにもとづいて、車両の現在擬似位置を複数個算出する。
【００３８】
また、ＧＰＳ受信部１９から出力される現在位置に対応する擬似座標値と、算出された前記現在位置のうちの一つとを比較して、表示部２３上に表示すべき位置表示マークの表示位置を算出する。
【００３９】
このとき、加速度センサ２１の出力にもとづき、ＣＰＵ１４は道路の傾斜や高低差に応じて、前記車両の現在擬似位置を補正する。これにより、立体交差点や、一般道路と高架上の高速道路とが平面的に重なるところでも、車両の現在位置を正確に演算することができる。
【００４０】
また、本実施の形態では、ナビゲーション機器１２Ａからハードディスクユニット１７を取り出し可能にしている。このため、ハードディスクユニット１７は、図５に示すように、ナビゲーション機器１２Ａの本体に、ハードディスクユニット１７を着脱するスロット２５が設けられている。
【００４１】
一方、ユーザは、自宅に、図５に示すようなハードディスクユニットアクセス用端末装置２６を備えておくことで、このハードディスクユニットアクセス用端末装置２６を用いて、前記ハードディスクユニット１７に対してバージョンアップしたナビゲーション用データや音楽データの更新を行うことができる。
【００４２】
ハードディスクユニットアクセス用端末装置２６は、ハードディスクユニット１７を着脱するスロット２７と共に、記録再生部を含むバージョンアップ手段２８およびネットワーク２９を介してサーバ３０からバージョンアップデータを受信する通信手段３１を、内部に備えている。
【００４３】
なお、ハードディスクユニットアクセス用端末装置２６には、記録再生部を含むバージョンアップ手段２８を設け、ネットワーク２９に接続したユーザの自宅のＰＣを通信手段として、バージョンアップデータを受信するようにしてもよい。
この場合には、自宅のＰＣで作成または再生した地図データや音楽データなどを、前記ハードディスクユニット１７に書き込むことができる。
【００４４】
従って、ユーザは、ナビゲーション機器１２Ａのスロット２５から取り出したハードディスクユニット１７を自宅に持ち帰り、自宅のハードディスクユニットアクセス用端末装置２６のスロット２７に差し込み、所定の入力操作を行うことにより、ハードディスク１３の地図データを含むナビゲーション用データ領域に記録されたナビゲーションデータを、事業者側のサーバ３０からダウンロードした最新のナビゲーションデータに書き換えることができる。
また、これと共に、記録領域の一部であるユーザ領域に音楽などのユーザデータを書き込んだり、更新したりすることができる。
【００４５】
さらに、このように書き換えられたナビゲーションデータは、ハードディスクユニット１７を再び車両に搭載のナビゲーション機器１２Ａのスロット２５に装着することで、最新の道路状況に対応した車両のナビゲーションが可能になる。
【００４６】
また、ハードディスクユニット１７内のハードディスク１３に記録された情報は、パスワードを用いた場合のみ、サーバ３０によってのみ書き替え可能にすることは、前述の通りである。
【００４７】
なお、前記実施の形態では、ナビゲーション機器に対しハードディスクユニット１７を取り出し可能にしたものを中心に説明したが、ナビゲーション機器１２Ａ以外のハードディスク１３を用いる電子機器に対しハードディスクユニットを取り外し可能にして、そのハードディスク１３に対する情報の書き換えを行う場合にも適用できる。
【００４８】
以上詳述したように、本実施の形態におけるハードディスクユニット１７は、電子機器に取り外し可能に搭載されるハードディスクユニットであり、このハードディスクユニット１７に、このハードディスクユニットに含まれるハードディスク１３に対するアクセスを制限するセキュリティロック手段を一体に構成してある。
【００４９】
これにより、アクセスが許諾されたユーザのみが、サーバ３０から必要とするデータの提供を受けて、そのデータの書き替えまたは更新が可能となり、他のユーザへの複写によるデータの不法な流出を未然に回避することができる。
【図面の簡単な説明】
【００５０】
【図１】従来のハードディスクデータのバージョンアップ方法を説明する図である。
【図２】従来のナビゲーション機器のシステム構成を示すブロック図である。
【図３】本発明のハードディスクユニットを持つナビゲーション機器のシステム構成を示すブロック図である。
【図４】図３に示すナビゲーション機器の詳細を示すシステム構成図である。
【図５】本発明によるハードディスクデータのバージョンアップ方法を説明する図である。
【符号の説明】
【００５１】
１２Ａ  ナビゲーション機器
１３    ハードディスク
１４    ＣＰＵ（演算手段）
１５    ＲＯＭ（記憶手段）
１７    ハードディスクユニット
２６    ハードディスクユニットアクセス用端末装置
２８    バージョンアップ手段
３１    通信手段  
【図１】
2005317143.tif 000003
【図２】
2005317143.tif 000004
【図３】
2005317143.tif 000005
【図４】
2005317143.tif 000006
【図５】
2005317143.tif 000007